(57)【要約】【課題】ディスプレイ装置を提供する。【解決手段】静電気不良の改善とディスプレイ品質向上のために、ディスプレイ領域と、外郭に位置した周辺領域とを有し、ディスプレイ領域は、基板の中央部を含むメイン領域、メイン領域から第１方向に延長され周辺領域の側へ突出する第１突出領域及び第２突出領域を含み、第１突出領域と第２突出領域とは、第１方向と交差する第２方向に所定間隔だけ互いに離隔され、第１突出領域と第２突出領域との間において、ディスプレイ領域側に引き込まれた切り欠き部を有する基板；第１突出領域上に配置される第１発光部、及び第２突出領域上に配置される第２発光部を含むディスプレイ部；第１発光部と隣接した周辺領域上に配置され、第１発光部と電気的に連結された第１ロードマッチング部；並びに第２発光部と隣接した周辺領域上に配置され、第２発光部と電気的に連結された第２ロードマッチング部を具備する。【選択図】図１０
2019020726.tif 000002
【特許請求の範囲】
【請求項１】
ディスプレイ領域と、前記ディスプレイ領域を囲む外郭に位置した周辺領域とを有し、
前記ディスプレイ領域は、前記基板の少なくとも中央部を含むメイン領域、及び、前記メイン領域から第１方向に延長されることで、前記周辺領域の側へと突出する第１突出領域及び第２突出領域を含み、前記第１突出領域と前記第２突出領域とは、前記第１方向と交差する第２方向に所定間隔だけ離隔されて配置され、
前記第１突出領域と前記第２突出領域との間の箇所へと、前記ディスプレイ領域の側に引き込まれた切り欠き部を有する
基板と、
前記第１突出領域上に配置される第１発光部、及び前記第２突出領域上に配置される第２発光部を含むディスプレイ部と、
前記第１発光部と隣接した前記周辺領域上に配置され、前記第１発光部と電気的に連結された第１ロードマッチング部と、
前記第２発光部と隣接した前記周辺領域上に配置され、前記第２発光部と電気的に連結された第２ロードマッチング部と、を具備するディスプレイ装置。
【請求項２】
前記第１ロードマッチング部及び前記第２ロードマッチング部は、いずれも、前記基板上に配置される第１導電層、前記第１導電層の上に配置される第２導電層、及び、前記第２導電層の上に配置される第３導電層を含み、前記第３導電層は、前記第１方向または前記第２方向に沿って延びるようにパターニングされていることを特徴とする請求項１に記載のディスプレイ装置。
【請求項３】
前記第３導電層は、前記第２導電層と少なくとも一部が重なり合うようにパターニングされていることを特徴とする請求項２に記載のディスプレイ装置。
【請求項４】
前記第１導電層は、前記第１方向に沿って延長され、前記第２導電層は、前記第２方向に沿って延長されることを特徴とする請求項２に記載のディスプレイ装置。
【請求項５】
前記第１導電層と前記第３導電層は、コンタクトホールを介して、互いに電気的に連結されることを特徴とする請求項２に記載のディスプレイ装置。
【請求項６】
前記ディスプレイ領域上に配置されるとともに、アクティブパターン、前記アクティブパターンの上に配置され、前記アクティブパターンと少なくとも一部が重なり合うゲート電極、及び、前記ゲート電極の上に配置され、前記アクティブパターンと電気的に連結されるソース電極またはドレイン電極を含む、薄膜トランジスタをさらに含み、
前記第１導電層は、前記アクティブパターンと同一の物質を含み、前記第２導電層は、前記ゲート電極と同一の物質を含み、前記第３導電層は、前記ソース電極またはドレイン電極と同一の物質を含むことを特徴とする請求項２に記載のディスプレイ装置。
【請求項７】
前記第１発光部と前記第１ロードマッチング部は、第１配線を介して電気的に連結され、前記第２発光部と前記第２ロードマッチング部は、第２配線を介して電気的に連結され、
前記第１配線及び前記第２配線は、前記第２導電層と同一の物質を含むことを特徴とする請求項２に記載のディスプレイ装置。
【請求項８】
前記第１ロードマッチング部と前記第２ロードマッチング部は、互いに電気的に連結されたことを特徴とする請求項２に記載のディスプレイ装置。
【請求項９】
前記第１ロードマッチング部と前記第２ロードマッチング部は、前記第３導電層と同一の物質を含む導電膜によって電気的に連結されることを特徴とする請求項８に記載のディスプレイ装置。
【請求項１０】
前記メイン領域上に配置される第３発光部をさらに含み、
前記第１発光部、前記第２発光部及び前記第３発光部は、互いに連続して、一体をなしていることを特徴とする請求項１に記載のディスプレイ装置。
【請求項１１】
ディスプレイ領域と、前記ディスプレイ領域を囲む外郭に位置した周辺領域とを有し、前記ディスプレイ領域は、前記基板の少なくとも中央部を含むメイン領域、及び、前記メイン領域から第１方向に延長されることで、前記周辺領域側に突出する第１突出領域及び第２突出領域を含み、前記第１突出領域と前記第２突出領域との間の箇所へと、前記ディスプレイ領域の側に引き込まれた切り欠き部を有する基板と、
前記第１突出領域上の一部に配置される第１発光部、前記第２突出領域上の一部に配置される第２発光部、及び前記第１突出領域上の他の一部に配置される第３発光部、及び前記第２突出領域上の他の一部に配置される第３発光部を含むディスプレイ部と、
前記第１発光部と隣接して前記周辺領域中に配置され、前記第１発光部と電気的に連結された第１ロードマッチング部と、
前記第２発光部と隣接して前記周辺領域中に配置され、前記第２発光部と電気的に連結された第２ロードマッチング部と、
前記第３発光部と前記第４発光部との間の箇所またはこれに隣接する箇所に位置するように前記周辺領域中に配置され、前記第３発光部及び前記第４発光部と電気的に連結された第３ロードマッチング部と、を具備するディスプレイ装置。
【請求項１２】
前記第１ロードマッチング部、前記第２ロードマッチング部及び第３ロードマッチング部は、いずれも、前記基板上に配置される第１導電層、前記第１導電層の上に配置される第２導電層、及び、前記第２導電層の上に配置される第３導電層を含み、前記第３導電層は、前記第１方向または前記第１方向と交差する第２方向に沿って延びるようにパターニングされていることを特徴とする請求項１１に記載のディスプレイ装置。
【請求項１３】
前記第３導電層は、前記第２導電層と少なくとも一部が重なり合うようにパターニングされたことを特徴とする請求項１２に記載のディスプレイ装置。
【請求項１４】
前記第１導電層は、前記第１方向に沿って延長され、前記第２導電層は、前記第２方向に沿って延長されることを特徴とする請求項１２に記載のディスプレイ装置。
【請求項１５】
前記第１導電層と前記第３導電層は、コンタクトホールを介して、互いに電気的に連結されることを特徴とする請求項１２に記載のディスプレイ装置。
【請求項１６】
前記ディスプレイ領域上に配置されるとともに、アクティブパターン、前記アクティブパターンの上に配置され、前記アクティブパターンと少なくとも一部が重なり合うゲート電極、及び前記ゲート電極の上に配置され、前記アクティブパターンと電気的に連結されるソース電極またはドレイン電極を含む、薄膜トランジスタをさらに含み、
前記第１導電層は、前記アクティブパターンと同一の物質を含み、前記第２導電層は、前記ゲート電極と同一の物質を含み、前記第３導電層は、前記ソース電極またはドレイン電極と同一の物質を含むことを特徴とする請求項１２に記載のディスプレイ装置。
【請求項１７】
前記第１発光部と前記第１ロードマッチング部は、第１配線を介して電気的に連結され、前記第２発光部と前記第２ロードマッチング部は、第２配線を介して電気的に連結され、前記第３発光部及び第４発光部と、前記第３ロードマッチング部は、前記第３配線を介して電気的に連結され、
前記第１配線、前記第２配線及び前記第３配線は、前記第２導電層と同一の物質を含むことを特徴とする請求項１２に記載のディスプレイ装置。
【請求項１８】
前記第１ロードマッチング部、前記第２ロードマッチング部及び前記第３ロードマッチング部は、互いに電気的に連結されたことを特徴とする請求項１２に記載のディスプレイ装置。
【請求項１９】
前記第１ロードマッチング部、前記第２ロードマッチング部及び前記第３ロードマッチング部は、前記第３導電層と同一の物質を含む導電膜によって電気的に連結されることを特徴とする請求項１８に記載のディスプレイ装置。
【請求項２０】
前記メイン領域上に配置される第５発光部をさらに含み、
前記第１発光部ないし前記第５発光部は、互いに連続して一体をなしていることを特徴とする請求項１１に記載のディスプレイ装置。
【発明の詳細な説明】
【技術分野】
【０００１】
本発明は、ディスプレイ装置に係り、さらに詳細には、静電気による不良を改善し、ディスプレイ品質が向上したディスプレイ装置に関する。
【背景技術】
【０００２】
ディスプレイ装置のうち、有機発光ディスプレイ装置は、視野角が広く、コントラストにすぐれるだけではなく、応答速度が速いという長所を有しており、次世代ディスプレイ装置として注目を集めている。
【０００３】
一般的に、有機発光ディスプレイ装置は、基板上に薄膜トランジスタ及び有機発光素子を形成し、有機発光素子が自ら光を発光して作動する。このような有機発光ディスプレイ装置は、携帯電話のような小型製品に使用されたり、テレビのような大型製品に使用されたりする。
【０００４】
このような有機発光ディスプレイ装置は、有機発光素子を含むディスプレイ部を具備する。該ディスプレイ部は、有機発光素子を含み、自ら発光することにより、外部にイメージをディスプレイする。このようなディスプレイ部の形状は、従来の長方形状に形成することから進み出て、ディスプレイ装置の活用目的により、多様な形状に形成されることが要求される。
【０００５】
このように、多様な形状に形成されたディスプレイ部を含むディスプレイ装置においては、ディスプレイ部の一部領域において、構造的な差により、静電気に対して脆弱な部分が存在し、それによってピクセルが損傷され、外部に高品質のイメージをディスプレイすることができなくなるというような問題点が存在した。
【先行技術文献】
【特許文献】
【０００６】
【特許文献１】特開2012-098726号公報（US9143668）
【特許文献２】特開2008-051908号公報
【発明の概要】
【発明が解決しようとする課題】
【０００７】
本発明は、前述のような問題点を含み、多くの問題点を解決するためのものであり、静電気による不良を改善し、ディスプレイ品質が向上されたディスプレイ装置を提供することを目的とする。しかし、このような課題は、例示的なものであり、それにより、本発明の範囲が限定されるものではない。
【課題を解決するための手段】
【０００８】
本発明の一観点によれば、ディスプレイ領域と、前記ディスプレイ領域を囲む外郭に位置した周辺領域とを有し、前記ディスプレイ領域は、前記基板の少なくとも中央部を含むメイン領域、及び、前記メイン領域から第１方向に延長されることで、前記周辺領域の側へと突出する第１突出領域及び第２突出領域を含み、前記第１突出領域と前記第２突出領域とは、前記第１方向と交差する第２方向に所定間隔だけ離隔されて配置され、前記第１突出領域と前記第２突出領域との間には前記ディスプレイ領域の側へと引き込まれた切り欠き部を持つ基板；前記第１突出領域上に配置される第１発光部、及び前記第２突出領域上に配置される第２発光部を含むディスプレイ部；前記第１発光部と隣接した前記周辺領域上に配置され、前記第１発光部と電気的に連結された第１ロードマッチング部；及び前記第２発光部と隣接した前記周辺領域上に配置され、前記第２発光部と電気的に連結された第２ロードマッチング部を具備するディスプレイ装置が提供される。
【０００９】
本実施形態によれば、前記第１ロードマッチング部及び前記第２ロードマッチング部は、いずれも、前記基板上に配置される第１導電層、前記第１導電層の上に配置される第２導電層、及び、前記第２導電層の上に配置される第３導電層を含み、前記第３導電層は、前記第１方向または前記第２方向に沿って延びるようにパターニングされているのでありうる。
【００１０】
本実施形態によれば、前記第３導電層は、前記第２導電層と少なくとも一部が重なり合うようにパターニングされているのでありうる。
【００１１】
本実施形態によれば、前記第１導電層は、前記第１方向に沿って延長され、前記第２導電層は、前記第２方向に沿って延長されうる。
【００１２】
本実施形態によれば、前記第１導電層と前記第３導電層は、コンタクトホールを介して、互いに電気的に連結されうる。
【００１３】
本実施形態によれば、前記ディスプレイ領域上に配置されるとともに、アクティブパターン、前記アクティブパターンの上に配置され、前記アクティブパターンと少なくとも一部が重なり合うゲート電極、及び前記ゲート電極の上に配置され、前記アクティブパターンと電気的に連結されるソース電極またはドレイン電極を含む、薄膜トランジスタをさらに含み、前記第１導電層は、前記アクティブパターンと同一の物質を含み、前記第２導電層は、前記ゲート電極と同一の物質を含み、前記第３導電層は、前記ソース電極またはドレイン電極と同一の物質を含んでもよい。
【００１４】
本実施形態によれば、前記第１発光部と前記第１ロードマッチング部は、第１配線を介して電気的に連結され、前記第２発光部と前記第２ロードマッチング部は、第２配線を介して電気的に連結され、前記第１配線及び前記第２配線は、前記第２導電層と同一の物質を含んでもよい。
【００１５】
本実施形態によれば、前記第１ロードマッチング部と前記第２ロードマッチング部は、互いに電気的に連結されうる。
【００１６】
本実施形態によれば、前記第１ロードマッチング部と前記第２ロードマッチング部は、前記第３導電層と同一物質を含む導電膜によって電気的に連結されうる。
【００１７】
本実施形態によれば、前記メイン領域上に配置される第３発光部をさらに含み、前記第１発光部、前記第２発光部及び前記第３発光部は、互いに連続した一体のものでありうる。
【００１８】
本発明の他の観点によれば、ディスプレイ領域と、前記ディスプレイ領域を囲む外郭に位置した周辺領域とを有し、前記ディスプレイ領域は、前記基板の少なくとも中央部を含むメイン領域、及び、前記メイン領域から第１方向に延長されることで、前記周辺領域の側へと突出する第１突出領域及び第２突出領域を含み、前記第１突出領域と前記第２突出領域との間の箇所へと、前記ディスプレイ領域の側に引き込まれた切り欠き部を持つ基板；前記第１突出領域上の一部に配置される第１発光部、前記第２突出領域上の一部に配置される第２発光部、及び、前記第１突出領域上の他の一部に配置される第３発光部、及び前記第２突出領域上の他の一部に配置される第３発光部を含むディスプレイ部；前記第１発光部と隣接して前記周辺領域中に配置され、前記第１発光部と電気的に連結された第１ロードマッチング部；前記第２発光部と隣接して前記周辺領域中に配置され、前記第２発光部と電気的に連結された第２ロードマッチング部；及び前記第３発光部と前記第４発光部との間の箇所またはこれに隣接する箇所に位置するように前記周辺領域中に配置され、前記第３発光部及び前記第４発光部と電気的に連結された第３ロードマッチング部を具備するディスプレイ装置が提供される。
【００１９】
本実施形態によれば、前記第１ロードマッチング部、前記第２ロードマッチング部及び第３ロードマッチング部は、それぞれ前記基板上に配置される第１導電層、前記第１導電層の上に配置される第２導電層、及び前記第２導電層の上に配置される第３導電層を含み、前記第３導電層は、前記第１方向または前記第１方向と交差する第２方向に沿って延びるようにパターニングされているのでありうる。
【００２０】
本実施形態によれば、前記第３導電層は、前記第２導電層と少なくとも一部が重なり合うようにパターニングされうる。
【００２１】
本実施形態によれば、前記第１導電層は、前記第１方向に沿って延長され、前記第２導電層は、前記第２方向に沿って延長されうる。
【００２２】
本実施形態によれば、前記第１導電層と前記第３導電層は、コンタクトホールを介して、互いに電気的に連結されうる。
【００２３】
本実施形態によれば、前記ディスプレイ領域上に配置されるとともに、アクティブパターン、前記アクティブパターンの上に配置され、前記アクティブパターンと少なくとも一部が重なり合うゲート電極、及び前記ゲート電極の上に配置され、前記アクティブパターンと電気的に連結されるソース電極またはドレイン電極を含む、薄膜トランジスタをさらに含み、前記第１導電層は、前記アクティブパターンと同一の物質を含み、前記第２導電層は、前記ゲート電極と同一の物質を含み、前記第３導電層は、前記ソース電極またはドレイン電極と同一の物質を含んでもよい。
【００２４】
本実施形態によれば、前記第１発光部と前記第１ロードマッチング部は、第１配線を介して電気的に連結され、前記第２発光部と前記第２ロードマッチング部は、第２配線を介して電気的に連結され、前記第３発光部及び第４発光部と、前記第３ロードマッチング部は、前記第３配線を介して電気的に連結され、前記第１配線、前記第２配線及び前記第３配線は、前記第２導電層と同一の物質を含んでもよい。
【００２５】
本実施形態によれば、前記第１ロードマッチング部、前記第２ロードマッチング部及び前記第３ロードマッチング部は、互いに電気的に連結されうる。
【００２６】
本実施形態によれば、前記第１ロードマッチング部、前記第２ロードマッチング部及び前記第３ロードマッチング部は、前記第３導電層と同一の物質を含む導電膜によって、電気的に連結されうる。
【００２７】
本実施形態によれば、前記メイン領域上に配置される第５発光部をさらに含み、前記第１発光部ないし前記第５発光部は、互いに連続して一体をなすのでありうる。
【発明の効果】
【００２８】
本発明の一実施形態によれば、静電気による不良を改善し、ディスプレイ品質が向上されたディスプレイ装置を具現することができる。ここで、このような効果により、本発明の範囲が限定されるものではないということは、言うまでもない。
【図面の簡単な説明】
【００２９】
【図１】本発明の一実施形態に係わるディスプレイ装置を概略的に図示する平面図である。
【図２】図１のディスプレイ装置のＡ部分を拡大して概略的に図示する平面図である。
【図３】図１のディスプレイ装置の一部を概略的に図示する平面図である。
【図４】図３ディスプレイ装置を、Ａ１−Ａ１方向に切り取った断面を概略的に図示する断面図である。
【図５】図１のディスプレイ装置の一部を概略的に図示する断面図である。
【図６】本発明の他の一実施形態に係わるディスプレイ装置の一部を概略的に図示する平面図である。
【図７】図６のディスプレイ装置を、Ａ２−Ａ２方向に切り取った断面を概略的に図示する断面図である。
【図８】本発明のさらに他の一実施形態に係わるディスプレイ装置の一部を概略的に図示する平面図である。
【図９】図８のディスプレイ装置を、Ａ３−Ａ３方向に切り取った断面を概略的に図示する断面図である。
【図１０】本発明のさらに他の一実施形態に係わるディスプレイ装置の一部を概略的に図示する平面図である。
【図１１】本発明のさらに他の一実施形態に係わるディスプレイ装置の一部を概略的に図示する平面図である。
【発明を実施するための形態】
【００３０】
本発明は多様な変換を加えることができ、さまざまな実施形態を有することができるが、特定実施形態を図面に例示し、詳細な説明によって詳細に説明する。本発明の効果、特徴、及びそれらを達成する方法は、図面と共に詳細に後述する実施形態を参照すれば、明確になるであろう。しかし、本発明は、以下で開示される実施形態に限定されるものではなく、多様な形態にも具現されるのである。
【００３１】
以下、添付された図面を参照し、本発明の実施形態について詳細に説明するが、図面を参照して説明するとき、同一であるか、あるいは対応する構成要素は、同一図面符号を付し、それに係わる重複説明は省略する。
【００３２】
以下の実施形態において、第１、第２といった用語は、限定的な意味ではなく、１つの構成要素を他の構成要素と区別する目的に使用された。また、単数の表現は、文脈上明白に異なって意味しない限り、複数の表現を含む。
【００３３】
一方、「含む」または「有する」というような用語は、明細書上に記載された特徴または構成要素が存在するということを意味するものであり、１以上の他の特徴または構成要素が付加される可能性をあらかじめ排除するものではない。また、膜、領域、構成要素などの部分が、他の部分の「上に」または「上部に」あるとするとき、該他の部分の「真上に」または「すぐ上に」ある場合だけではなく、その中間に、他の膜、領域、構成要素などが介在されている場合も含む。
【００３４】
図面においては、説明の便宜のために、構成要素がその大きさが誇張されていたり縮小されていたりする。例えば、図面に示される各構成の大きさ及び厚みは、説明の便宜上、任意に示されており、本発明は、必ずしも図示されたところに限定されるものではない。
【００３５】
ｘ軸、ｙ軸及びｚ軸は、直交座標系上の３軸に限定されるものではなく、それを含む広い意味にも解釈される。例えば、ｘ軸、ｙ軸及びｚ軸は、互いに直交することもあるが、互いに直交せず、互いに異なる方向を称することもある。
【００３６】
ある実施形態が異なって具現可能な場合、特定の工程順序は、説明される順序と異なるようにも遂行される。例えば、連続して説明される２つの工程が、実質的に同時に遂行されもし、説明される順序と反対の順序にも進められる。
【００３７】
図１は、本発明の一実施形態に係わるディスプレイ装置を概略的に図示する平面図であり、図２は、図１のディスプレイ装置のＡ部分を拡大して概略的に図示する平面図である。
【００３８】
図１を参照すれば、本実施形態によるディスプレイ装置は、ディスプレイ領域ＤＡと、ディスプレイ領域ＤＡを囲む外郭に位置する周辺領域ＰＡと、を有する基板１００を含む。周辺領域ＰＡは、ディスプレイ領域ＤＡの全周を取り囲むように配置され、後述するディスプレイ部２００が配置されていない非発光領域と理解される。
【００３９】
ディスプレイ領域ＤＡは、基板１００の中央部に位置するメイン領域ＤＡ３、及びメイン領域ＤＡ３から延長された第１突出領域ＤＡ１及び第２突出領域ＤＡ２を含んでもよい。一実施形態において、メイン領域ＤＡ３は、四角形状を有することができるが、本発明は、必ずしもそれに限定されるものではない。第１突出領域ＤＡ１及び第２突出領域ＤＡ２は、第１方向（＋ｙ方向）に沿って、ディスプレイ領域ＤＡから周辺領域ＰＡ側にも突出する。すなわち、第１突出領域ＤＡ１及び第２突出領域ＤＡ２は、同一方向に突出し、メイン領域ＤＡ３の一辺一部が延長された部分と理解されうる。図２に図示されているように、第１突出領域ＤＡ１及び第２突出領域ＤＡ２は、第１方向（＋ｙ方向）と交差する第２方向（＋ｘ方向）に、所定間隔離隔されて配置されうる。
【００４０】
基板１００は、一側に切り欠き部１００ａを具備することができる。切り欠き部１００ａは、前述のディスプレイ領域ＤＡの第１突出領域ＤＡ１と第２突出領域ＤＡ２との間に位置することができる。図示されていないが、本実施形態によるディスプレイ装置は、切り欠き部１００ａが形成された位置に、カメラモジュール及び／またはスピーカモジュールなどが具備されてもよい。
【００４１】
図２を参照すれば、本発明の一実施形態によるディスプレイ装置は、前述の基板１００のディスプレイ領域ＤＡ上に配置されるディスプレイ部２００、周辺領域ＰＡ上に配置される第１ロードマッチング部ＬＭ１及び第２ロードマッチング部ＬＭ２を具備することができる。
【００４２】
ディスプレイ部２００は、ディスプレイ領域ＤＡ上に配置され、ディスプレイ領域ＤＡの第１突出領域ＤＡ１上に配置される第１発光部２１０、第２突出領域ＤＡ２上に配置される第２発光部２２０、及びメイン領域ＤＡ３上に配置される第３発光部２３０を具備することができる。ここで、第１発光部２１０、第２発光部２２０及び第３発光部２３０は、配置される位置によって、説明の便宜上、概念的に区分したものであり、別個の発光部ではない一体である。本実施形態においては、メイン領域ＤＡ３上に、四角形状に具備される第３発光部２３０の一側に、第１発光部２１０及び第２発光部２２０が配置される。
【００４３】
第１ロードマッチング部ＬＭ１及び第２ロードマッチング部ＬＭ２は、前記基板１００の周辺領域ＰＡ上にも配置される。第１ロードマッチング部ＬＭ１は、第１発光部２１０と隣接した周辺領域ＰＡに配置され、第２ロードマッチング部ＬＭ２は、第２発光部２２０と隣接した周辺領域ＰＡにも配置される。すなわち、第１ロードマッチング部ＬＭ１は、第１発光部２１０と隣接した周辺領域ＰＡに配置され、第１配線Ｃ１を介して、第１発光部２１０と電気的に連結される。また、第２ロードマッチング部ＬＭ２は、第２発光部２２０と隣接した周辺領域ＰＡに配置され、第２配線Ｃ２を介して、第２発光部２２０と電気的に連結される。
【００４４】
従来の単純な長方形状のディスプレイ部２００を有するディスプレイ装置の場合、１ライン（特には走査ライン）当たりのピクセルの個数が一定しており、各ラインにかかるロード（load）が一定であった。一方、本発明の一実施形態によるディスプレイ装置の場合、メイン領域ＤＡ３上に配置された第３発光部２３０は、長方形状を有し、従来のディスプレイ装置のように、各ラインにかかるロードが一定であるが、第１発光部２１０及び第２発光部２２０の場合、第１突出領域ＤＡ１と第２突出領域ＤＡ２との間に発光部が位置しないために、メイン領域ＤＡ３に配置する第３発光部２３０に比べて、第１発光部２１０及び第２発光部２２０にかかるロードが一定ではない。
【００４５】
従って、本発明の一実施形態によるディスプレイ装置においては、第１発光部２１０及び第２発光部２２０に隣接した周辺領域ＰＡ上に、第１発光部２１０及び第２発光部２２０とそれぞれ電気的に連結され、ラインにかかるロードを合わせる第１ロードマッチング部ＬＭ１及び第２ロードマッチング部ＬＭ２が具備される。
【００４６】
一方、本実施形態においては、第１ロードマッチング部ＬＭ１と第２ロードマッチング部ＬＭ２は、互いに電気的に連結される。第１ロードマッチング部ＬＭ１と第２ロードマッチング部ＬＭ２は、導電膜Ｄを介して、互いに電気的に連結される。例えば、本実施形態においては、第１ロードマッチング部ＬＭ１と第２ロードマッチング部ＬＭ２とを連結する導電膜Ｄは、後述する第３導電層５１５と同一物質を含んでもよいが、本発明は、必ずしもそれに限定されるものではない。このように、第１ロードマッチング部ＬＭ１と第２ロードマッチング部ＬＭ２とを電気的に連結することにより、静電気流入時、同電位領域を拡大させ、静電気によるディスプレイ領域ＤＡの損傷を防止することができる。
【００４７】
図３は、図１のディスプレイ装置の一部を概略的に図示する平面図であり、図４は、図３のディスプレイ装置を、Ａ１−Ａ１方向に切り取った断面を概略的に図示する断面図である。図３及び図４においては、図２に図示された第１ロードマッチング部ＬＭ１の構造を拡大して図示している。図２の第２ロードマッチング部ＬＭ２の構造は、第１ロードマッチング部ＬＭ１の構造と同一であり、重複説明は省略する。
【００４８】
図３及び図４を参照すれば、第１ロードマッチング部５００は、第１導電層５１１、第１導電層５１１の上に配置される第２導電層５１３、及び、第２導電層５１３の上に配置される第３導電層５１５を含んでもよい。本実施形態において、第３導電層５１５は、第１方向（＋ｙ方向）に沿って延びるように、または第１方向（＋ｙ方向）と交差する第２方向（＋ｘ方向）に沿って延びるように、パターニングされるのでありうる。図３を参照すれば、第１導電層５１１は、第１方向（＋ｙ方向）に沿って延長されうるのであり、第２導電層５１３は、第１方向（＋ｙ方向）と交差する第２方向（＋ｘ方向）に沿って延長されうる。すなわち、第１導電層５１１と第２導電層５１３は、格子の形態に、互いに直交して配置されうる。
【００４９】
第２導電層５１３の上には、第３導電層５１５が配置される。図３に図示されているように、第３導電層５１５は、第１導電層５１と同様に、第１方向（＋ｙ方向）に沿って延長されうるのであり、第１導電層５１１と重なり合うように位置することができる。本実施形態において、第３導電層５１５は、一方向に沿って延びるように、第１導電層５１１と同様にパターニングされうる。図３においては、第３導電層５１５が、第１方向（＋ｙ方向）に沿って延びるように、第１導電層５１１と同様にパターニングされた構造を図示しているが、後述する他の実施形態においては、第３導電層５１５は、第２方向（＋ｘ方向）に沿って延びるように、第２導電層５１３と同様にパターニングされうる。
【００５０】
一方、図２をも併せて参照すれば、前述のように、第１ロードマッチング部ＬＭ１は、第１発光部２１０と隣接した周辺領域ＰＡに配置され、第１配線Ｃ１を介して、第１発光部２１０と電気的に連結されうるのであり、第２ロードマッチング部ＬＭ２は、第２発光部２２０と隣接した周辺領域ＰＡに配置され、第２配線Ｃ２を介して、第２発光部２２０と電気的に連結されうる。一実施形態において、第１配線Ｃ１及び第２配線Ｃ２は、第２導電層５１３と同一の物質（材料）を含んでもよいが、本発明は、必ずしもそれに限定されるものではない。
【００５１】
また、前述のように、第１ロードマッチング部ＬＭ１と第２ロードマッチング部ＬＭ２は、導電膜Ｄを介して、互いに電気的に連結されうる。一実施形態において、導電膜Ｄは、第３導電層５１５と同一の物質を含んでもよいが、本発明は、必ずしもそれに限定されるものではない。
【００５２】
図４を参照すれば、基板１００上に第１導電層５１１が配置され、第１導電層５１１の上には、第２導電層５１３が配置されうる。図４においては、基板１００上面に直接に第１導電層５１１が配置されているように図示されているが、基板１００と第１導電層５１１との間には、絶縁層またはバッファ層などがさらに配置されうる。第１導電層５１１と第２導電層５１３との間には、第１絶縁膜１２０が介在されてもよい。第１絶縁膜１２０は、後述するゲート絶縁膜でありうる。第２導電層５１３の上には、第３導電層５１５が配置されうる。第２導電層５１３と第３導電層５１５との間には、第２絶縁膜１３０が介在されうるのであり、第２絶縁膜１３０は、後述する層間絶縁膜でありうる。図示されていないが、第１導電層５１１と第３導電層５１５は、コンタクトホールを介して、互いに電気的に連結されてもよい。
【００５３】
前述のように、第３導電層５１５を、パターニングする過程により分割などをしない場合、すなわち、第３導電層５１５を一つの面電極として形成する場合、第３導電層５１５の面積に比例し、帯電量も増加する。その場合、第３導電層５１５に静電気が流入し、第３導電層５１５に流入した静電気は、電気的に連結されたディスプレイ部２００の第１発光部２１０に流入する。このような静電気は、第１発光部２１０のピクセルを損傷させ、結局、ディスプレイ領域ＤＡの不良につながる。
【００５４】
従って、本発明の一実施形態によるディスプレイ装置では、第３導電層５１５を、パターニングしてストライプ状またはマトリクス状に分割するか、または櫛（くし）状、網状などとした構造とすることで、第３導電層５１５の帯電面積を縮小することにより、帯電量を減少させ、このことを通じて、静電気の低減のために、画期的に有利な構造を具現することができる。
【００５５】
図５は、図１のディスプレイ装置の一部を概略的に図示する断面図である。
【００５６】
図５を参照すれば、本実施形態によるディスプレイ装置が具備する基板１００は、ディスプレイ領域ＤＡと、ディスプレイ領域ＤＡの外郭をなす周辺領域ＰＡと、を有する。基板１００は、フレキシブル特性またはベンダブル特性を有する多様な物質を含んでもよいが、例えば、ポリエーテルスルホン（ＰＥＳ）、ポリアクリレート（ＰＡＲ）、ポリエーテルイミド（ＰＥＩ）、ポリエチレンナフタレート（ＰＥＮ）、ポリエチレンテレフタレート（ＰＥＴ）、ポリフェニレンスルフィド（ＰＰＳ）、ポリアリレート（polyallylate）、ポリイミド（ＰＩ）、ポリカーボネート（ＰＣ）またはセルロースアセテートプロピオネート（ＣＡＰ）といった高分子樹脂を含んでもよい。
【００５７】
基板１００のディスプレイ領域ＤＡには、ディスプレイ素子３００以外に、図５に図示されているように、ディスプレイ素子３００が電気的に連結される薄膜トランジスタ（ＴＦＴ）も、位置することができる。図２においては、ディスプレイ素子３００として有機発光素子が、ディスプレイ領域ＤＡに位置するように図示されている。このような有機発光素子が、薄膜トランジスタ（ＴＦＴ）に電気的に連結されるということは、画素電極３１０が、薄膜トランジスタ（ＴＦＴ）に電気的に連結されるとも理解される。ここで、必要に応じて、基板１００のディスプレイ領域ＤＡの外側の周辺領域ＰＡにも、薄膜トランジスタ（図示せず）が配置されるということは、言うまでもない。このような周辺領域ＰＡに位置する薄膜トランジスタは、例えば、ディスプレイ領域ＤＡ内に印加される電気的信号を制御するための回路部の一部でありうる。
【００５８】
薄膜トランジスタ（ＴＦＴ）は、非晶質シリコン、多結晶シリコンまたは有機半導体物質を含むアクティブパターン２１１、ゲート電極２１３、ソース電極２１５ａ及びドレイン電極２１５ｂを含んでもよい。アクティブパターン２１１とゲート電極２１３との絶縁性を確保するために、シリコン酸化物、シリコン窒化物及び／またはシリコン酸窒化物などの無機物を含むゲート絶縁膜１２０が、アクティブパターン２１１とゲート電極２１３との間に介在されてもよい。同時に、ゲート電極２１３の上部には、シリコン酸化物、シリコン窒化物及び／またはシリコン酸窒化物などの無機物を含む、層間絶縁膜１３０が配置され、ソース電極２１５ａ及びドレイン電極２１５ｂは、このような層間絶縁膜１３０上に配置されうる。このように無機物を含む絶縁膜は、ＣＶＤ（chemical vapor deposition）またはＡＬＤ（atomic layer deposition）を通じて形成されうる。このことは、後述する実施形態及びその変形例においても同様である。
【００５９】
このような構造の薄膜トランジスタ（ＴＦＴ）と、基板１００との間には、シリコン酸化物、シリコン窒化物及び／またはシリコン酸窒化物といった無機物を含むバッファ層１１０が介在されてもよい。このようなバッファ層１１０は、基板１００の上面の平滑性を高めたり、基板１００などからの不純物が、薄膜トランジスタ（ＴＦＴ）のアクティブパターン（半導体活性層のパターン）２１１に浸透することを防止したり最小化したりする役割を行うことができる。
【００６０】
そして、薄膜トランジスタ（ＴＦＴ）上には、平坦化層１４０が配置されうる。例えば、図５に図示されているように、薄膜トランジスタ（ＴＦＴ）の上に、有機発光素子が配置される場合、平坦化層１４０は、薄膜トランジスタ（ＴＦＴ）を覆う保護膜の上部が、ほぼ平坦になるようにする役割を行うことができる。このような平坦化層１４０は、例えば、アクリル、ＢＣＢ（benzocyclobutene）またはＨＭＤＳＯ（hexamethyl disiloxane）といった有機物によって形成されうる。図２においては、平坦化層１４０が単一の層であるとして図示されているが、多層でありうるなど、多様な変形が可能である。また、図２に示すように、平坦化層１４０は、ディスプレイ領域ＤＡの外側に開口部を有し、ディスプレイ領域ＤＡの部分と、周辺領域ＰＡの部分とが、互いに物理的に分離されるようにすることができる。このようであると、外部から浸透した不純物などが、平坦化層１４０の内部を通って、ディスプレイ領域ＤＡの内部に到達することを防止することができる。
【００６１】
基板１００のディスプレイ領域ＤＡ内にて、平坦化層１４０の上には、画素電極３１０と、対向電極３３０と、これらの間に介在され、発光層を含む中間層３２０とを有する、有機発光素子が位置することができる。画素電極３１０は、図５に図示されているように、平坦化層１４０などに形成された開口部を通じて、ソース電極２１５ａ及びドレイン電極２１５ｂのうちのいずれか一方とコンタクトすることで、薄膜トランジスタ（ＴＦＴ）と電気的に連結される。
【００６２】
平坦化層１４０の上には、画素定義膜１５０が配置される。該画素定義膜１５０は、各副画素に対応する開口、すなわち、各画素電極３１０に対応して、少なくともその中央部が露出されるようにする開口を有することにより、各副画素の発光領域を囲んで定める役割を行う。また、図５に図示されているような場合、画素定義膜１５０は、画素電極３１０のエッジと、画素電極３１０の上の対向電極３３０との間の距離を増大させることにより、画素電極３１０のエッジから、アークなどが発生することを防止する役割を行う。このような画素定義膜１５０は、例えば、ポリイミドまたはＨＭＤＳＯ（hexamethyl disiloxane）といった有機物によって形成されうる。
【００６３】
有機発光素子の中間層３２０は、低分子物質または高分子物質を含んでもよい。該低分子物質を含む場合、ホール注入層（ＨＩＬ：hole injection layer）、ホール輸送層（ＨＴＬ：hole transport layer）、発光層（ＥＭＬ：emission layer）、電子輸送層（ＥＴＬ：electron transport layer）、電子注入層（ＥＩＬ：electron injection layer）などが、単一の層をなすように、あるいは複数の層からなる積層膜をなすようにすることができ、銅フタロシアニン（ＣｕＰｃ）、Ｎ，Ｎ−ジ（ナフタレン−１−イル）−Ｎ，Ｎ’−ジフェニル−ベンジジン（ＮＰＢ）、トリス−８−ヒドロキシキノリンアルミニウム（Ａｌｑ３）などを含め、多様な有機物質を含んでもよい。このような層は、真空蒸着法によって形成されうる。
【００６４】
中間層３２０が高分子物質を含む場合には、概して、ホール輸送層（ＨＴＬ）及び発光層（ＥＭＬ）を含む構造を有することができる。この場合、ホール輸送層は、ポリ（３，４−エチレンジオキシチオフェン）（ＰＥＤＯＴ）を含み、発光層は、ＰＰＶ（poly-phenylenevinylene）系及びポリフルオレン（polyfluorene）系などの高分子物質を含んでもよい。このような中間層３２０は、スクリーン印刷法やインクジェット印刷法、レーザ熱転写法（ＬＩＴＩ：laser induced thermal imaging）などで形成することができる。
【００６５】
ここで、中間層３２０は、必ずしも上記のようなものに限定されるものではなく、多様な構造を有することもできるということは、言うまでもない。そして、中間層３２０は、複数個の画素電極３１０にわたって一体である層を含んでもよく、また、複数個の画素電極３１０のそれぞれに対応する、それぞれ別個のパターニングされた層を含んでもよい。
【００６６】
対向電極３３０は、ディスプレイ領域ＤＡ中に配置されるが、図５に図示されているように、ディスプレイ領域ＤＡの全体にわたって延びるように配置されうる。すなわち、対向電極３３０は、複数個の有機発光素子にわたって一体に形成され、複数個の画素電極３１０に対応するのでありうる。
【００６７】
このような有機発光素子は、外部からの水分や酸素などによって容易に損傷されてしまうので、封止層４００は、このような有機発光素子を覆い、それらを保護する。封止層４００は、ディスプレイ領域ＤＡの全体にわたって延びるとともに、ディスプレイ領域ＤＡの外側まで延長される。このような封止層４００は、図５に図示されているように、第１無機封止層４１０、有機封止層４２０及び第２無機封止層４３０を含んでもよい。
【００６８】
第１無機封止層４１０は、対向電極３３０を覆い、シリコン酸化物、シリコン窒化物及び／またはシリコン酸窒化物などを含んでもよい。ここで、必要によっては、第１無機封止層４１０と対向電極３３０との間に、キャッピング層といった他の層が介在されてもよいということは、言うまでもない。このような第１無機封止層４１０は、その下部の構造物の上面に沿って形成されるために、図５に図示されているように、その上面が平坦ではなくなる。有機封止層４２０は、このような第１無機封止層４１０を覆うが、第１無機封止層４１０と異なり、その上面がぼぼ平坦になりうる。具体的には、有機封止層４２０は、ディスプレイ領域ＤＡに対応する部分においては、上面がほぼ平坦になるようにする。このような有機封止層４２０は、ポリエチレンテレフタレート、ポリエチレンナフタレート、ポリカーボネート、ポリイミド、ポリエチレンスルホネート、ポリオキシメチレン、ポリアリレート、ヘキサメチルジシロキサンからなる群から選択された１つ以上の材料を含んでもよい。第２無機封止層４３０は、有機封止層４２０を覆い、シリコン酸化物、シリコン窒化物及び／またはシリコン酸窒化物などを含んでもよい。このような第２無機封止層４３０は、ディスプレイ領域ＤＡの外側に位置したそのエッジにおいて、第１無機封止層４１０とコンタクトすることにより、有機封止層４２０を外部に露出させないようにすることができる。
【００６９】
このように、封止層４００は、第１無機封止層４１０、有機封止層４２０及び第２無機封止層４３０を含むが、このような積層構造とすることにより、封止層４００内にクラックが発生するとしても、第１無機封止層４１０と有機封止層４２０との間、または有機封止層４２０と第２無機封止層４３０との間において、このようなクラックを連結させない。このことにより、外部からの水分や酸素などが、ディスプレイ領域ＤＡに浸透する経路が形成されることを防止したり最小化させたりすることができる。
【００７０】
図示されていないが、封止層４００上には、透光性接着剤（ＯＣＡ：optically clear adhesive）の層を挟むようにして、偏光板（図示せず）が位置しうる。このような偏光板は、外光反射を減らす役割を行うことができる。例えば、外光が偏光板を通過し、対向電極３３０上面で反射した後、さらに偏光板を通過する場合、該偏光板を２回通過することにより、その外光の位相が変わるようにする。その結果、反射光の位相が、偏光板に進入する外光の位相と異なるようにすることにより、消滅干渉が発生するようにするのであり、結果として、外光反射を減らすことにより、視認性を向上させることができる。このような透光性接着剤と偏光板は、例えば、図５に図示されているような、平坦化層１４０の開口を覆うこともできる。ここで、本実施形態によるディスプレイ装置が、常に偏光板を具備するものではなく、必要によっては、偏光板を省略することもでき、他の構成で代替することもできるということは、言うまでもない。例えば、偏光板を省略し、ブラックマトリックスとカラーフィルタとを利用して、外光反射を減らすこともできる。
【００７１】
一方、前述のディスプレイ領域ＤＡを第１突出領域ＤＡ１とするとき、ディスプレイ領域ＤＡ上に配置されたディスプレイ部２００は、第１発光部２１０でありうる。その場合、第１発光部２１０と隣接した周辺領域ＰＡ上には、第１ロードマッチング部ＬＭ１（図２）が配置される。他の実施形態において、前述のディスプレイ領域ＤＡを第２突出領域ＤＡ２とするとき、ディスプレイ領域ＤＡ上に配置されたディスプレイ部２００は、第２発光部２２０でありうるのであり、その場合、第２発光部２２０と隣接した周辺領域ＰＡ上には、第２ロードマッチング部ＬＭ２（図２）が配置される。
【００７２】
周辺領域ＰＡ上に配置された第１ロードマッチング部５００は、前述のように、第１導電層５１１、第２導電層５１３及び第３導電層５１５を含んでもよい。本実施形態において、第１導電層５１１は、バッファ層１１０上に配置され、薄膜トランジスタ（ＴＦＴ）のアクティブパターン２１１と同一の物質を含んでもよい。第１導電層５１１の上には、第２導電層５１３が配置され、第２導電層５１３は、薄膜トランジスタ（ＴＦＴ）のゲート電極２１３と同一の物質を含んでもよい。このような第１導電層５１１と第２導電層５１３との間には、ゲート絶縁膜１２０が延長されて介在されてもよい。第２導電層５１３の上には、第３導電層５１５が配置され、第３導電層５１５は、薄膜トランジスタ（ＴＦＴ）のソース電極２１５ａまたはドレイン電極２１５ｂと同一の物質を含んでもよい。このような第２導電層５１３と第３導電層５１５との間には、層間絶縁膜１３０が延長されて介在されてもよい。一方、第３導電層５１５の上には、絶縁層が配置されうる。第３導電層５１５の上には、平坦化層１４０及び画素定義膜１５０が延長されて配置されうる。
【００７３】
一方、図２をも併せて参照すれば、前述のように、第１ロードマッチング部５００は、第１発光部２１０と隣接した周辺領域ＰＡに配置され、第１配線Ｃ１を介して、第１発光部２１０と電気的に連結され、第２ロードマッチング部ＬＭ２は、第２発光部２２０と隣接した周辺領域ＰＡに配置され、第２配線Ｃ２を介して、第２発光部２２０と電気的に連結される。一実施形態において、第１配線Ｃ１及び第２配線Ｃ２は、ゲート電極２１３と同一の物質を含んでもよいが、本発明は、必ずしもそれに限定されるものではない。
【００７４】
また、前述のように、第１ロードマッチング部５００と第２ロードマッチング部ＬＭ２は、導電層を介して、互いに電気的に連結される。一実施形態において、該導電層は、ソース電極２１５ａまたはドレイン電極２１５ｂと同一の物質を含んでもよいが、本発明は、必ずしもそれに限定されるものではない。
【００７５】
図６は、本発明の他の一実施形態に係わるディスプレイ装置の一部を概略的に図示する平面図であり、図７は、図６のディスプレイ装置を、Ａ２−Ａ２方向に切り取った断面を概略的に図示する断面図である。図６及び図７においては、前述の図３及び図４の実施形態と異なる実施形態を図示している。本実施形態によるディスプレイ装置においては、ロードマッチング部５００’の第３導電層５１５のパターンに関して、前述の実施形態との違いがある。それを除いた残りの構成については、前述の実施形態と同一であり、重複した内容を省略する。
【００７６】
図６及び図７を参照すれば、第１ロードマッチング部５００’は、第１導電層５１１、第１導電層５１１の上に配置される第２導電層、５１３及び第２導電層５１３の上に配置される第３導電層５１５を含んでもよい。本実施形態において、第１導電層５１１は、第１方向（＋ｙ方向）に沿って延長されうるのであり、第２導電層５１３は、第１方向（＋ｙ方向）と交差する第２方向（＋ｘ方向）に沿って延長されうる。すなわち、第１導電層５１１と第２導電層５１３は、格子形態に互いに直交して配置されうる。この点は、前述の実施形態と同一である。
【００７７】
第２導電層５１３上には、第３導電層５１５が配置される。図６に図示されているように、第３導電層５１５は、第１導電層５１１のように、第２方向（＋ｘ方向）に沿って延長されうる。その場合、第３導電層５１５は、第２導電層５１３と重なり合うように位置することができる。すなわち、本実施形態において、第３導電層５１５は、第２方向（＋ｘ方向）に沿って延びるように、第２導電層５１３と同様にパターニングされうる。
【００７８】
図７を参照すれば、基板１００上に、第１導電層５１１が配置され、第１導電層５１１上には、第２導電層５１３が配置される。図７においては、基板１００上に、直接、接するように第１導電層５１１が配置されているように図示されているが、基板１００と第１導電層５１１との間には、絶縁層またはバッファ層などがさらに配置されてもよい。第１導電層５１１と第２導電層５１３との間には、第１絶縁膜１２０が介在され、第１絶縁膜１２０は、ゲート絶縁膜でありうる。第２導電層５１３の上には、第３導電層５１５が配置される。第２導電層５１３と第３導電層５１５との間には、第２絶縁膜１３０が介在され、第２絶縁膜１３０は、層間絶縁膜でありうる。図示されていないが、第１導電層５１１と第３導電層５１５は、コンタクトホールを介して、互いに電気的に連結されうる。
【００７９】
前述のように、第３導電層５１５を、パターニングする過程を通じて分割などしない場合、すなわち、第３導電層５１５を一つの面電極として形成する場合、第３導電層５１５の面積に比例して帯電量も増加する。その場合、第３導電層５１５から静電気が流入し、第３導電層５１５に流入した静電気は、電気的に連結されたディスプレイ部２００の第１発光部２１０に流入する。このような静電気は、第１発光部２１０のピクセルを損傷させ、結局、ディスプレイ領域ＤＡの不良につながることになる。
【００８０】
従って、本発明の一実施形態によるディスプレイ装置では、第３導電層５１５をパターニングしてストライプ状またはマトリクス状に分割するか、または櫛（くし）状、網状などとした構造とすることで、第３導電層５１５の帯電面積を縮小させることにより、帯電量を減少させ、このことを通じて、静電気の低減のために、画期的に有利な構造を具現することができる。
【００８１】
図８は、本発明のさらに他の一実施形態に係わるディスプレイ装置の一部を概略的に図示する平面図であり、図９は、図８のディスプレイ装置を、Ａ３−Ａ３方向に切り取った断面を概略的に図示する断面図である。図８及び図９の実施形態も、同様に、ロードマッチング部５００”の第３導電層５１５の形状を除き、前述の実施形態と同一であり、以下では、違いだけを敍述し、重複内容を省略する。
【００８２】
図８及び図９を参照すれば、前述の実施形態と同様に、ロードマッチング部５００”は、第１導電層５１１、第２導電層５１３及び第３導電層５１５を含んでもよい。本実施形態によるディスプレイ装置５００”においては、第３導電層５１５がラインを形成するものではなく、島（アイランド）状のパターンがマトリクス状に配列されるようにパターニングされうる。第３導電層５１５の島状パターンは、互いに、第１方向（＋ｙ方向）に沿って所定間隔（ｄ）だけ離隔されて配置されうる。その場合にも、第３導電層５１５は、キャップ（cap）を形成するために、第１導電層５１１と第２導電層５１３とが重なり合う部分を覆うように位置することができる。
【００８３】
本実施形態は、前述の実施形態に比べ、第３導電層５１５の面積をさらに縮小させたものであり、帯電面積を縮小することで帯電量を減少させることにより、ロードマッチング部を介して流入する静電気によって、ディスプレイ部２００が損傷されることを画期的に防止することができる。
【００８４】
また、本実施形態においては、第３導電層５１５について、第１導電層５１１と第２導電層５１３とが重なり合う部分ごとに、その上にて島状をなす形態にパターニングされた構造を開示したが、他の実施形態においては、第３導電層５１５のパターンの形態は、より多様化されうる。本発明の特徴は、大面積に形成された第３導電層５１５を、パターン化して分割することにより、帯電面積を縮小することで静電気を低減させることにあるので、第３導電層５１５のパターンの形状は、特定の形状に限定されるものではないといえる。
【００８５】
図１０は、本発明のさらに他の一実施形態に係わるディスプレイ装置の一部を概略的に図示する平面図であり、図１１は、本発明のさらに他の一実施形態に係わるディスプレイ装置の一部を概略的に図示する平面図である。
【００８６】
本実施形態によるディスプレイ装置は、前述の実施形態と類似しており、第３ロードマッチング部（ＬＭ３）をさらに具備することができる。従って、第３ロードマッチング部ＬＭ３を含めた第１ロードマッチング部ＬＭ１、及び第２ロードマッチング部ＬＭ２の構造は、前述の実施形態と同一である。すなわち、各ロードマッチング部は、第１導電層５１１、第２導電層５１３、及びパターニングされた第３導電層５１５を具備することができる。以下においては、各ロードマッチング部の具体的な構造に係わる重複する説明は省略し、第３ロードマッチング部ＬＭ３を含んだ構造を中心に、違う点について敍述する。
【００８７】
図１０を参照すれば、本実施形態によるディスプレイ装置は、ディスプレイ領域ＤＡと、ディスプレイ領域ＤＡを囲む外郭に位置する周辺領域ＰＡと、を有する基板１００を含む。周辺領域ＰＡは、ディスプレイ領域ＤＡの全周を取り囲むように配置され、ディスプレイ部２００が配置されていない非発光領域と理解されうる。本実施形態において、ディスプレイ領域ＤＡは、前述の実施形態と同一である。すなわち、ディスプレイ領域ＤＡは、基板１００の中央部に位置するメイン領域ＤＡ３、並びにメイン領域ＤＡ３から延長された第１突出領域ＤＡ１及び第２突出領域ＤＡ２を含んでもよい。図１０に図示されているように、第１突出領域ＤＡ１及び第２突出領域ＤＡ２は、第１方向（＋ｙ方向）と交差する第２方向（＋ｘ方向）に、互いに、所定間隔だけ離隔されて配置されうる。
【００８８】
基板１００は、一側に、すなわち、略長方形の基板１００の一方の辺に沿って、特には一方の短辺に沿って、切り欠き部１００ａを具備することができる。切り欠き部１００ａは、前述のディスプレイ領域ＤＡにおける第１突出領域ＤＡ１と第２突出領域ＤＡ２との間に位置することができる。図示されていないが、本実施形態によるディスプレイ装置は、切り欠き部１００ａが形成された位置に、カメラモジュール及び／またはスピーカモジュールなどが具備される。
【００８９】
図１０を参照すれば、本発明の一実施形態によるディスプレイ装置は、前述の基板１００のディスプレイ領域ＤＡ上に配置されるディスプレイ部２００、周辺領域ＰＡ上に配置される第１ロードマッチング部ＬＭ１、第２ロードマッチング部ＬＭ２及び第３ロードマッチング部ＬＭ３を具備することができる。
【００９０】
ディスプレイ部２００は、ディスプレイ領域ＤＡ上に配置され、ディスプレイ領域ＤＡの第１突出領域ＤＡ１上に配置される第１発光部２１０及び第３発光部２３０、第２突出領域ＤＡ２上に配置される第２発光部２２０及び第４発光部２４０、メイン領域ＤＡ３上に配置される第５発光部２５０を具備することができる。このとき、第１発光部２１０ないし第５発光部２５０は、配置される位置によって、説明の便宜上、概念的に区分したものであり、別個の互いに分離した発光部ではなく、互いに一体のものである。すなわち、第１突出領域ＤＡ１上の一部には、第１発光部２１０が配置され、残りの一部には、第３発光部２３０が配置されうる。また、第２突出領域ＤＡ２上の一部には、第２発光部２２０が配置され、残りの一部には、第４発光部２４０が配置されうる。
【００９１】
本実施形態と、前述の実施形態との差異は、第１突出領域ＤＡ１内または第２突出領域ＤＡ２内において、発光領域を分割し、別個のロードマッチング部に連結されるというものである。すなわち、第１突出領域ＤＡ１に配置された発光部の場合、一部は、第１ロードマッチング部ＬＭ１と電気的に連結され、残り一部は、第３ロードマッチング部ＬＭ３と電気的に連結される。
【００９２】
第１ロードマッチング部ＬＭ１及び第２ロードマッチング部ＬＭ２は、前記基板１００がなす略長方形における一短辺に沿って、周辺領域ＰＡ中に配置されうる。周辺領域ＰＡにおける、この一短辺に沿った部分の中で、第１ロードマッチング部ＬＭ１は、第１発光部２１０のみに隣接した箇所に配置され、第２ロードマッチング部ＬＭ２は、第２発光部２２０のみに隣接した箇所に配置され、第３ロードマッチング部ＬＭ３は、第３発光部２３０及び第４発光部２４０の両方に隣接した箇所に配置されうる。図１０では、第１突出領域ＤＡ１と第２突出領域ＤＡ２との間、詳しくは、第３発光部２３０と第４発光部２４０との間に、第３ロードマッチング部ＬＭ３が配置されたが、本発明は、必ずしもそれに限定されるものではない。
【００９３】
具体的には、第１ロードマッチング部ＬＭ１は、基板１００の一短辺と第１発光部２１０とにより前後から挟まれた箇所に配置され、第１配線Ｃ１を介して、第１発光部２１０と電気的に連結される。また、第２ロードマッチング部ＬＭ２は、基板１００の一短辺と第２発光部２２０とにより前後から挟まれた箇所に配置され、第２配線Ｃ２を介して、第２発光部２２０と電気的に連結される。また、第３ロードマッチング部ＬＭ３は、切り欠き部１００ａとメイン領域ＤＡ３とにより前後から挟まれた箇所、すなわち、周辺領域ＰＡ中における、第３発光部２３０と第４発光部２４０とに左右から挟まれた箇所に配置され、第３配線Ｃ３を介して、第３発光部２３０及び第４発光部２４０と電気的に連結される。一実施形態において、第１配線Ｃ１、第１配線Ｃ２及び第３配線Ｃ３は、ロードマッチング部ＬＭ１，ＬＭ２，ＬＭ３の第２導電層５１３と同一の物質を含んでもよいが、本発明は、必ずしもそれに限定されるものではない。
【００９４】
一方、本実施形態のディスプレイ装置において、第１ロードマッチング部ＬＭ１、第２ロードマッチング部ＬＭ２及び第３ロードマッチング部ＬＭ３は、互いに電気的に連結される。第１ロードマッチング部ＬＭ１、第２ロードマッチング部ＬＭ２及び第３ロードマッチング部ＬＭ３は、導電膜Ｄ１，Ｄ２を介して、互いに電気的に連結される。例えば、本実施形態においては、第１ロードマッチング部ＬＭ１と第３ロードマッチング部ＬＭ３とを連結する第１導電膜Ｄ１、及び第２ロードマッチング部ＬＭ２と第３ロードマッチング部ＬＭ３とを連結する第２導電膜Ｄ２は、第３導電層５１５と同一の物質を含んでもよい。このように、第１ロードマッチング部ＬＭ１、第２ロードマッチング部ＬＭ２及び第３ロードマッチング部ＬＭ３を電気的に連結することにより、静電気流入時、同電位の領域を拡大し、静電気によるディスプレイ領域ＤＡの損傷を防止することができる。
【００９５】
従来の単純な長方形状のディスプレイ部２００を有するディスプレイ装置の場合、１ライン（左右方向に延びる信号線、特には走査線）当たりのピクセルの個数が一定であり、各ラインにかかるロード（load）が一定であった。一方、本発明の一実施形態によるディスプレイ装置の場合、メイン領域ＤＡ３上に配置された第５発光部２５０は、長方形状を有し、従来のディスプレイ装置と同様に、各ラインにかかるロードが一定であるが、第１突出領域ＤＡ１及び第２突出領域ＤＡ２に配置される第１発光部２１０ないし第４発光部２４０の場合、これらに左右から挟まれた箇所にピクセルが位置しないために、メイン領域ＤＡ３に配置される第５発光部２５０中のライン（左右方向信号線）にかかるロードに比べて、発光部２１０ないし２４０中のラインにかかるロードは小さくなる。
【００９６】
従って、本発明の一実施形態によるディスプレイ装置において、第１発光部２１０ないし第４発光部２４０に隣接した、周辺領域ＰＡ上の箇所には、第１発光部２１０ないし第４発光部２４０に、それぞれ電気的に連結されて、ラインにかかるロードを、メイン領域ＤＡ３中のものに合わせるための、第１ロードマッチング部ＬＭ１、第２ロードマッチング部ＬＭ２及び第３ロードマッチング部ＬＭ３が具備される。
【００９７】
一方、図１１の実施形態は、前述の図１０の実施形態と同一であるが、第１ロードマッチング部ＬＭ１、第２ロードマッチング部ＬＭ２及び第３ロードマッチング部ＬＭ３を互いに連結する第１導電膜Ｄ１及び第２導電膜Ｄ２の配置に差がある。すなわち、前述の図１０の実施形態においては、第１ロードマッチング部ＬＭ１と第３ロードマッチング部ＬＭ３とが、第１導電膜Ｄ１によって電気的に連結され、第２ロードマッチング部ＬＭ２と第３ロードマッチング部ＬＭ３とが、第２導電膜Ｄ２によって電気的に連結される。一方、本実施形態においては、第１ロードマッチング部ＬＭ１と第２ロードマッチング部ＬＭ２とが、第１導電膜Ｄ１によって電気的に連結され、第２導電膜Ｄ２が、第１導電膜Ｄ１と第３ロードマッチング部ＬＭ３とを電気的に連結することができる。それ以外の構成は、前述の実施形態と同一であり、それらを援用する。
【００９８】
本発明は、図面に図示された実施形態を参照して説明したが、それらは、例示的なものに過ぎず、当該技術分野で当業者であるならば、それらから多様な変形、及び均等な他の実施形態が可能であるという点を理解するであろう。従って、本発明の真の技術的保護範囲は、特許請求の範囲の技術的思想によって決められるものである。
【００９９】
本願の好ましい一実施形態においては、以下のとおりである。
【０１００】
最近、ある種のスマートホンでは、スマートホンを立てて見た場合の上端部の中央に、比較的大きいフロントカメラ、スピーカ、各種センサーなどを配置し、この箇所以外の全面をディスプレイ面としている。そのため、表示装置の基板、及び、ディスプレイ面に、「Ｍ字ノッチ」と呼ばれる切り欠き部（recess, notch）が形成されているものがある。また、湾入状ないし半円状の切り欠き部が形成されたものもある。
【０１０１】
このような場合に、「Ｍ字ノッチ」などの切り欠き部を挟む左右の突出部やこれに接続する配線などに、静電気が集中しやすい。
【０１０２】
一方、切り欠きを含む上端部では、切り欠きの分だけ、左右方向の信号線（「ライン」、特には走査線）にかかる負荷（ロード）が、他の箇所に比べて少なくなる。そのため、切り欠きを含む上端部と、その他の領域との間の境界がディスプレイ面に表れるおそれがある。
【０１０３】
そこで、好ましくは、下記Ａ〜Ｄとする。
【０１０４】
Ａ  他の領域と同程度の負荷（ロード）を与えるための配線部分（左右の「ロードマッチング部LM1, LM2」）を、左右の「突出部DA1, DA2」と、基板100の縁との間の、狭小な領域のほぼ全体にわたって延びるように形成する（図２）。このようにして、負荷（ロード）が一定になるようにするとともに、静電気を広く分散させるようにする。
【０１０５】
Ａ１  必要に応じて、基板100における切り欠き部100aの内縁（特には、奥にある左右方向の縁）と、ディスプレイ領域DAの縁との間にも、この狭小な領域のほぼ全体にわたって延びるように（「ロードマッチング部LM3」）を形成する（図３）。
【０１０６】
Ｂ  「ロードマッチング部」中には、(i)ゲート電極と同時に同一材料で形成されて、向かって上下方向に延びる第１導電層511のラインパターンと、(ii)ソース及びドレイン電極と同時に同一材料で形成されて、左右方向に延びる第２導電層512のラインパターンと、(iii)画素電極と同時に同一材料で形成される第３導電層513のパターンとが備えられる。なお、ラインパターンの幅は、対応する走査線やデータ線よりも、適宜大きくすることができる。
【０１０７】
特には、次のとおりとする。
Ｂ１  第２導電層512のラインパターンは、左右の「突出部DA1, DA2」中の左右方向の信号線（特には走査線）に電気的に連結されている。
特には、左右の「ロードマッチング部LM1, LM2」がそれぞれ左右の「突出部DA1, DA2」に対応して備えられている。第３の「ロードマッチング部LM3」を形成する場合、この「ロードマッチング部LM3」が、左右の「突出部DA1, DA2」の根元部に対応するようにすることができ、「ロードマッチング部LM3」の第２導電層512のラインパターンの左右端を、それぞれ、左右の「突出部DA1, DA2」の根元部にある左右方向信号線に電気的に連結させることができる。
Ｂ２  第３導電層513のパターンがラインパターンである場合、第３導電層513のラインパターンと、第１導電層511のラインパターンとは、必要に応じて、コンタクトホールを通じて電気的に連結されている。これにより、静電気をより効果的に分散させることができ、また、第２導電層512のラインパターンに、より適切に負荷（ロード）を与えることができる。
【０１０８】
Ｃ  第３導電層513のパターンは、次のいずれかである。
Ｃ１  第１導電層511のラインパターンとそれぞれ重なり合う、ラインパターン。
（図３〜４）
Ｃ２  第２導電層512のラインパターンとそれぞれ重なり合う、ラインパターン。
（図６）
Ｃ３  第１導電層511のラインパターンと第２導電層512のラインパターンとの交差箇所ごとに、この交差箇所を覆うように設けられた島状パターン。
（図８）
【０１０９】
Ｄ  「ロードマッチング部LM1〜LM2またはLM1〜LM3」の相互間で、第３導電層513（または第１導電層511）のラインパターンを、連結配線（導電膜ＤまたはＤ１〜Ｄ２）により電気的に連結している。これにより、静電気をさらに分散させることができる。
【産業上の利用可能性】
【０１１０】
本発明のディスプレイ装置は、例えば、ディスプレイ関連の技術分野に効果的に適用可能である。
【符号の説明】
【０１１１】
１００      基板
１００ａ    切り欠き部
２００      ディスプレイ部
２１０      第１発光部
２１１      アクティブパターン
２１３      ゲート電極
２１５ｂ    ドレイン電極
２１５ａ    ソース電極
２２０      第２発光部
２３０      第３発光部
２４０      第４発光部
２５０      第５発光部
３００      ディスプレイ素子
４００      封止層
４１０      無機封止層
５００，５００’，５００”    ロードマッチング部
５１１      第１導電層
５１３      第２導電層
５１５      第３導電層
ＤＡ        ディスプレイ領域
ＤＡ１      第１突出領域
ＤＡ２      第２突出領域
ＤＡ３      メイン領域
ＬＭ１      第１ロードマッチング部
ＬＭ２      第２ロードマッチング部
ＬＭ３      第３ロードマッチング部
ＰＡ        周辺領域
【図１】
2019020726.tif 000003
【図２】
2019020726.tif 000004
【図３】
2019020726.tif 000005
【図４】
2019020726.tif 000006
【図５】
2019020726.tif 000007
【図６】
2019020726.tif 000008
【図７】
2019020726.tif 000009
【図８】
2019020726.tif 000010
【図９】
2019020726.tif 000011
【図１０】
2019020726.tif 000012
【図１１】
2019020726.tif 000013